【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
ゲートウェイデバイスにおいて動作可能な方法であって、
デバイスに関連するトリガを前記ゲートウェイデバイスにおいて検出するステップと、
前記デバイスに関連するアプリケーションサービスを前記トリガの検出に応答して識別するステップと、
前記アプリケーションサービスに関連するトラフィックネットワークポリシーを取得するステップと、
前記トラフィックネットワークポリシーに基づくネットワークアクセストークンを取得するステップであって、前記ネットワークアクセストークンが、前記デバイスに向けられているユーザプレーントラフィックの中で前記ゲートウェイデバイスにおいて取得されたダウンリンクデータパケットの検証および/またはマッピングを容易にする、ステップと、
制御プレーンシグナリングの中で前記ネットワークアクセストークンをエンティティへ送るステップと
を含む方法。
【請求項２】
前記ゲートウェイデバイスがパケットデータネットワークゲートウェイデバイス(P-GW)である、請求項1に記載の方法。
【請求項３】
前記トリガが、アプリケーションサービスに関連する前記トラフィックネットワークポリシーを取得すること、前記トラフィックネットワークポリシーに基づく前記ネットワークアクセストークンを取得すること、および/または制御プレーンシグナリングの中で前記ネットワークアクセストークンを前記エンティティへ送ることのうちの、1つまたは複数を前記ゲートウェイデバイスに実行させるための制御プレーンメッセージを、前記ゲートウェイデバイスにおいて取得するステップを含む、請求項1に記載の方法。
【請求項４】
前記制御プレーンメッセージが、
アプリケーションサービスに関連する前記トラフィックネットワークポリシーを取得すること、前記トラフィックネットワークポリシーに基づく前記ネットワークアクセストークンを取得すること、および/または制御プレーンシグナリングの中で前記ネットワークアクセストークンを前記エンティティへ送ることのうちの、1つまたは複数を実行するための明示的コマンドを含み、または、
アプリケーションサービスに関連する前記トラフィックネットワークポリシーを取得すること、前記トラフィックネットワークポリシーに基づく前記ネットワークアクセストークンを取得すること、および/または制御プレーンシグナリングの中で前記ネットワークアクセストークンを前記エンティティへ送ることのうちの、1つまたは複数を実行するための暗黙的コマンドを含み、または、
ベアラセットアップメッセージ、ベアラ活動化メッセージ、および/またはベアラ変更メッセージのうちの1つまたは複数に関連し、または、
セッション作成要求である、
請求項3に記載の方法。
【請求項５】
前記トリガが、
前記アプリケーションサービスに向けられている、前記デバイスから送られた第1のデータパケットを、前記ゲートウェイデバイスにおいて取得するステップを含む、
請求項1に記載の方法。
【請求項６】
アプリケーションサービスに関連する前記トラフィックネットワークポリシーがポリシーおよび課金ルール機能(PCRF)から取得される、請求項1に記載の方法。
【請求項７】
前記トラフィックネットワークポリシーが、
モバイルネットワークオペレータとアプリケーションサービスプロバイダとの間のサービスレベル合意、および/または
前記デバイスの加入プロファイルに基づいて規定される、
請求項1に記載の方法。
【請求項８】
前記エンティティがポリシーおよび課金ルール機能(PCRF)であり、前記ネットワークアクセストークンが前記制御プレーンシグナリングの中で前記PCRFへ送られる、請求項1に記載の方法。
【請求項９】
前記エンティティがアプリケーション機能であり、前記ネットワークアクセストークンが前記制御プレーンシグナリングの中で、またはポリシーおよび課金ルール機能(PCRF)を経由して前記制御プレーンシグナリングの中で前記アプリケーション機能へ送られる、請求項1に記載の方法。
【請求項１０】
前記制御プレーンシグナリングの中でアプリケーション識別子(App ID)を前記エンティティへ送るステップをさらに含み、
前記App IDが、アプリケーションサーバ、前記アプリケーションサービス、ならびに/または前記アプリケーションサーバおよび/もしくは前記アプリケーションサービスに関連するアプリケーション機能のうちの1つまたは複数を識別する、
請求項1に記載の方法。
【請求項１１】
前記ネットワークアクセストークンを含む前記ダウンリンクデータパケットを、前記ゲートウェイデバイスにおいてユーザプレーントラフィックの中で取得するステップと、
1つまたは複数のプロセスを実行するステップであって、
前記ネットワークアクセストークンを確認し、前記ネットワークアクセストークンから取得されたデータを使用して前記ダウンリンクデータパケットを前記デバイスにマッピングすることであって、前記ネットワークアクセストークンを確認することは、前記ダウンリンクデータパケットから取得されたデータに基づいて第2のネットワークアクセストークンを取得することと、前記ネットワークアクセストークンを前記第2のネットワークアクセストークンと比較することとを含み、前記ネットワークアクセストークンおよび前記第2のネットワークアクセストークンが等しい場合、前記ネットワークアクセストークンの前記確認が成功し、前記第2のネットワークアクセストークンが、前記ダウンリンクデータパケットから取得されたデータ、および前記トラフィックネットワークポリシーに基づくこと、または
前記ネットワークアクセストークンから取得されたデータを使用して前記ダウンリンクデータパケットを前記デバイスにマッピングすること
を含む、ステップと、
前記ネットワークアクセストークンを前記ダウンリンクデータパケットから除去するステップと、
前記マッピングに従って前記デバイスへ前記ダウンリンクデータパケットを送るステップと
をさらに含む請求項1に記載の方法。
【請求項１２】
ゲートウェイデバイスであって、
デバイスに関連するトリガを前記ゲートウェイデバイスにおいて検出するための手段と、
前記デバイスに関連するアプリケーションサービスを前記トリガの検出に応答して識別するための手段と、
前記アプリケーションサービスに関連するトラフィックネットワークポリシーを取得するための手段と、
前記トラフィックネットワークポリシーに基づくネットワークアクセストークンを取得するための手段であって、前記ネットワークアクセストークンが、前記デバイスに向けられているユーザプレーントラフィックの中で前記ゲートウェイデバイスにおいて取得されたダウンリンクデータパケットの検証および/またはマッピングを容易にする、手段と、
制御プレーンシグナリングの中で前記ネットワークアクセストークンをエンティティへ送るための手段と
を備えるゲートウェイデバイス。
【請求項１３】
アプリケーションサーバにおいて動作可能な方法であって、
デバイスにリンクされるとともにアプリケーションサービスにリンクされたネットワークアクセストークンを、前記アプリケーションサーバにおいて取得するステップと、
前記デバイスに向けたダウンリンクデータパケットを作成するステップと、
前記ダウンリンクデータパケットを前記ネットワークアクセストークンにマッピングするステップと、
前記ネットワークアクセストークンを前記ダウンリンクデータパケットの中に含めるステップと、
前記ネットワークアクセストークンを含む前記ダウンリンクデータパケットを、ゲートウェイデバイスを経由してユーザプレーントラフィックの中で前記デバイスへ送るステップと
を含む方法。
【請求項１４】
アプリケーションサーバであって、
デバイスにリンクされるとともにアプリケーションサービスにリンクされたネットワークアクセストークンを、前記アプリケーションサーバにおいて取得するための手段と、
前記デバイスに向けたダウンリンクデータパケットを作成するための手段と、
前記ダウンリンクデータパケットを前記ネットワークアクセストークンにマッピングするための手段と、
前記ネットワークアクセストークンを前記ダウンリンクデータパケットの中に含めるための手段と、
前記ネットワークアクセストークンを含む前記ダウンリンクデータパケットを、ゲートウェイデバイスを経由してユーザプレーントラフィックの中で前記デバイスへ送るための手段と
を備えるアプリケーションサーバ。
【請求項１５】
1つまたは複数の命令が記憶された非一時的機械可読記憶媒体であって、前記1つまたは複数の命令が、少なくとも1つのプロセッサによって実行されたとき、前記少なくとも1つのプロセッサに、請求項１から１１または１３のうちいずれか一項に記載の前記方法の前記ステップを実行させる、
非一時的機械可読記憶媒体。